(57)【特許請求の範囲】
【請求項１】
容器本体と、該容器本体を密封するスポイト付き蓋体とを備え、該スポイト付き蓋体の前記スポイトの前記容器本体内に挿入される管部の先端には拭き取り用含浸体が設けられていることを特徴とする環境微生物検査用拭き取り器具。
【請求項２】
前記スポイト付き蓋体が合成樹脂で一体成形されていることを特徴とする請求項１に記載の環境微生物検査用拭き取り器具。
【請求項３】
前記スポイト付き蓋体が蓋部とスポイトとを別部品にして構成されていることを特徴とする請求項１に記載の環境微生物検査用拭き取り器具。
【請求項４】
前記拭き取り用含浸体が発泡合成樹脂で構成されていることを特徴とする請求項１，２または３に記載の環境微生物検査用拭き取り器具。
【請求項５】
前記拭き取り用含浸体が天然の海綿で構成されていることを特徴とする請求項１，２または３に記載の環境微生物検査用拭き取り器具。
【請求項６】
前記拭き取り用含浸体が天然或いは化学繊維で構成されていることを特徴とする請求項１，２または３に記載の環境微生物検査用拭き取り器具。
【発明の詳細な説明】
【０００１】
【発明の属する技術分野】
本発明は、医療機関や食品製造所及び医薬品製造所などで使用される環境微生物検査用拭き取り器具に関するものである。
【０００２】
【従来の技術】
環境微生物検査には簡易な検査法が開発されており、培養を主体とする従来法と、微生物による汚染度を判定できる試薬を使った方法などがある。
【０００３】
培養を主体とする従来法においては、一般的に拭き取り法（スワブ法とも呼ばれている。）によって、物体表面の付着菌を綿棒などで拭き取る操作が実施されている。例えば、機器，器具，作業台などの物体の表面を、リン酸緩衝液あるいは生理食塩水等の稀釈液の一定量を湿らせた綿棒を用いて拭き取る操作が実施されている。これを同一の溶液を収容した合成樹脂製の容器に入れ、激しく振り動かすか、または殺菌力を持たない程度の弱い波長の超音波で振り動かす。この浸出液を必要に応じて稀釈し培養後、出現した細菌の集落を計測し、拭き取った面積の菌数を算出する。
【０００４】
拭き取り法は、広い面積以外に、手指や曲り部、隙間でも拭き取ることができる利点がある。
【０００５】
【発明が解決しようとする課題】
しかしながら、綿棒などを用いた検体採取のための拭き取り用具は、使用時にその綿球などの拭き取り用含浸体に過剰に含浸されているリン酸緩衝液あるいは生理食塩水などの稀釈液の絞り操作が必要である。即ち、検査をしようとする箇所の付着菌を採取するためには、過剰な稀釈液が拭き取り用含浸体にあると、付着菌の採取ができなくなり、正しい採取法にならない。
【０００６】
本発明の目的は、過剰な稀釈液を容易に除去できる環境微生物検査用拭き取り器具を提供することにある。
【０００７】
本発明の他の目的は、過剰な稀釈液を容易に除去できるスポイトを容易に低コストで形成できる環境微生物検査用拭き取り器具を提供することにある。
【０００８】
本発明の他の目的は、過剰な稀釈液を容易に除去できるスポイトを適切な素材を選択して形成できる環境微生物検査用拭き取り器具を提供することにある。
【０００９】
【課題を解決するための手段】
請求項１に記載の発明は、合成樹脂製の容器本体と、該容器本体を密封するスポイト付き蓋体とを備え、該スポイト付き蓋体の前記スポイトの前記容器本体内に挿入される管部の先端には拭き取り用含浸体が設けられていることを特徴とする。
【００１０】
このように蓋体がスポイト付き蓋体となっていて、該スポイト付き蓋体のスポイトの容器本体内に挿入される管部の先端には拭き取り用含浸体が設けられていると、使用時に容器本体内の稀釈液に浸漬されていて拭き取り用含浸体に過剰に稀釈液が含浸されていても、スポイトの空気溜め部を圧縮して内部の空気をスポイトの管部を経て吹き出させることにより、拭き取り用含浸体内の過剰な稀釈液を吐き出させることができ、簡単に適度な稀釈液を拭き取り用含浸体に保持させることができる。このため拭き取りによる物体表面からの付着菌の採取を正しく行うことができる。
【００１１】
請求項２に記載の発明は、前記スポイト付き蓋体が合成樹脂で一体成形されていることを特徴とする。
【００１２】
このようにすると、一体成形で容易に低コストでスポイト付き蓋体を形成することができる。容器本体とスポイト付き蓋体は、例えば高密度ポリエチレンなどの軟質の合成樹脂で形成することが好ましい。このような合成樹脂によれば、高圧蒸気滅菌や放射線滅菌などにも耐えさせることができる。
【００１３】
請求項３に記載の発明は、前記スポイト付き蓋体が蓋部とスポイトとを別部品にして構成されていることを特徴とする。
【００１４】
このようにすると、蓋部とスポイトとを、その用途から適切な素材を選択して形成することができる。
【００１５】
請求項４に記載の発明は、前記拭き取り用含浸体が発泡合成樹脂で構成されていることを特徴とする。
【００１６】
請求項５に記載の発明は、前記拭き取り用含浸体が天然の海綿で構成されていることを特徴とする。
【００１７】
請求項６に記載の発明は、前記拭き取り用含浸体が天然或いは化学繊維で構成されていることを特徴とする。
【００１８】
【発明の実施の形態】
図１乃至図３は、本発明に係る環境微生物検査用拭き取り器具における実施の形態の第１例を示したものである。
【００１９】
この環境微生物検査用拭き取り器具は、容器本体１と、該容器本体１を密封するスポイト付き蓋体２とを備え、該スポイト付き蓋体２のスポイト３の容器本体１内に挿入される管部３ａの先端には拭き取り用含浸体４が設けられている。容器本体１とスポイト付き蓋体２とは、いずれも例えば高密度ポリエチレンなどの軟質の合成樹脂で形成されている。これら容器本体１と、該容器本体１を密封するスポイト付き蓋体２とは、透明或いは不透明のいずれであってもよいが、後述するようにスポイト付き蓋体２をした状態で容器本体１内部での拭き取り用含浸体４中の過剰な稀釈液の押し出し操作と、付着菌の回収工程を確認するという観点から、少なくとも容器本体１は透明であることが好ましい。
【００２０】
容器本体１は有底の管状に形成され、その入口１ａの内面には雌ネジ部１ｂが形成されている。容器本体１内の底部側には、リン酸緩衝液あるいは生理食塩水等の稀釈液５が収容されている。
【００２１】
スポイト付き蓋体２は、蓋部６とスポイト３とで構成されている。蓋部６は、容器本体１の入口１ａに嵌合される嵌合部６ａと、嵌合部６ａに一体の蓋本体部６ｂとで構成され、嵌合部６ａの外周には容器本体１の入口１ａの雌ネジ部１ｂに螺合される雄ネジ部６ｃが形成され、嵌合部６ａの表面には複数本の滑り止め溝６ｄが形成されている。スポイト３は、中空の空気溜め部３ｂと、この空気溜め部３ｂに一体の前述した管部３ｂと、この管部３ｂの先端に一体に形成されている通気形含浸体取り付け部３ｃとで構成されている。この例のスポイト３の空気溜め部３ｂは、図３に示すように蓋部６の嵌合部６ａとこれに一体の蓋本体部６ｂを中空の可撓性容器として形成することにより、蓋部６と兼用された構造になっている。通気形含浸体取り付け部３ｃは中空の楕円形容器状に形成され、この通気形含浸体取り付け部３ｃには多数の孔７が形成されている。この孔７は、小さな多数の丸孔により形成されている。
【００２２】
拭き取り用含浸体４は、稀釈液５により劣化が生ぜず且つ耐摩耗性のあるを発泡ポリウレタンや発泡ポリエチレンなどのスポンジ状の発泡合成樹脂で構成されている。このような拭き取り用含浸体４は、スポイト３の通気形含浸体取り付け部３ｃに嵌め込んで水不溶性の合成接着剤で固定されている。
【００２３】
このような構造の環境微生物検査用拭き取り器具は、リン酸緩衝液あるいは生理食塩水等の稀釈液５が収容された容器本体１内にスポイト付き蓋体２の先端側を挿入することにより、拭き取り用含浸体４が稀釈液５中に浸漬され、蓋部６の嵌合部６ａが容器本体１の入口１ａに嵌合されて、容器本体１の入口１ａが蓋部６で閉塞される。蓋部６の嵌合部６ａを容器本体１の入口１ａに捩じ込むことにより嵌合部６ａの雄ネジ部６ｃが容器本体１の入口１ａ内面の雌ネジ部１ｂに螺合され、外れない状態になる。この状態で、高圧蒸気や放射線などで滅菌する。かかる状態で、保管や搬送が行われる。
【００２４】
検体採取現場では、容器本体１からスポイト付き蓋体２を外し、容器本体１内で拭き取り用含浸体４が稀釈液５の外に出た状態で、スポイト３の空気溜め部３ｂを圧縮して内部の空気をスポイト３の管部３ｂを経て通気形含浸体取り付け部３ｃの各孔７から吹き出させることにより、拭き取り用含浸体４内の過剰な稀釈液５を吐き出させることができ、簡単に適度な稀釈液５を拭き取り用含浸体４に保持させることができる。空気溜め部３ｂの圧縮は、１回で不十分なときには数回繰り返えせばよい。このようにして拭き取り用含浸体４に対する稀釈液５の含浸量を適量にすると、拭き取りによる物体表面からの付着菌の採取を正しく行うことができる。
【００２５】
また、本例のようにスポイト付き蓋体２が合成樹脂で一体成形されていると、一体成形で容易に低コストでスポイト付き蓋体２を形成することができる。容器本体１とスポイト付き蓋体２が前述したように高密度ポリエチレンなどの軟質の合成樹脂で形成されていると、高圧蒸気滅菌や放射線滅菌などにも耐えさせることができる。
【００２６】
また、拭き取り用含浸体４を発泡合成樹脂で構成すると、ほつれ或いは滅菌による熱や放射線に対し影響のない拭き取り用含浸体４とすることができる。拭き取り用含浸体４がほつれないと、板やざる等の表面が粗い物体の表面を拭いても、拭き取り後に現場に繊維が残ったり、培養地にほつれた繊維が存在して菌の集落数の妨げになったりするのを回避することができる。
【００２７】
図４、図５は、図３に示すスポイト付き蓋体２の変形例を示したものである。このスポイト付き蓋体２では、通気形含浸体取り付け部３ｃに設けられている孔７が複数本のスリットにより形成されている。その他の構成は、図３と同様な構成になっている。
【００２８】
図６乃至図８は、本発明に係る環境微生物検査用拭き取り器具における実施の形態の第２例を示したものである。
【００２９】
この環境微生物検査用拭き取り器具は、容器本体１と、該容器本体１を密封するスポイト付き蓋体２とを備え、該スポイト付き蓋体２のスポイト３の容器本体１内に挿入される管部３ａの先端には拭き取り用含浸体４が設けられている点は前述した第１例と同様である。
【００３０】
容器本体１は、入口１ａを有する上端が小径部１ｃとなって、その外周には雄ネジ部１ｄが突設されている。このような容器本体１内の底部側には、リン酸緩衝液あるいは生理食塩水等の稀釈液５が収容されている。
【００３１】
スポイト付き蓋体２は、蓋部６とスポイト３とが例えば高密度ポリエチレンなどの軟質の合成樹脂により一体成形で形成されている。スポイト３は、中空の空気溜め部３ｂと、この空気溜め部３ｂに一体の前述した管部３ａと、この管部３ａの先端に一体に形成されている通気形含浸体取り付け部３ｃとを備えている。通気形含浸体取り付け部３ｃは第１例と同様に中空の楕円形容器状に形成され、この通気形含浸体取り付け部３ｃには多数の孔７が小さな丸孔により形成されている。蓋部６は、スポイト３の空気溜め部３ｂの下で管部３ａの外周にキャップ状に一体成形されている。このキャップ状をした蓋部６の内周には、容器本体１の上端の小径部１ｃ外周に設けられている雄ネジ部１ｄに螺合させる雌ネジ部６ｅが設けられている。蓋部６の外周には、複数本の滑り止め溝６ｄが形成されている。
【００３２】
拭き取り用含浸体４は、第１例と同様に稀釈液５により劣化が生ぜず且つ耐摩耗性のあるを発泡ポリウレタンや発泡ポリエチレンなどのスポンジ状の発泡合成樹脂で構成されている。この拭き取り用含浸体４も、スポイト３の通気形含浸体取り付け部３ｃに嵌め込んで水不溶性の合成接着剤で固定されている。このような第２例の環境微生物検査用拭き取り器具も第１例と、同様な使用の仕方で、同様な効果を得ることができる。
【００３３】
図９、図１０は、図８に示すスポイト付き蓋体２の変形例を示したものである。
【００３４】
図９に示すスポイト付き蓋体２では、スポイト３の空気溜め部３ｂが管部３ａ側とは別体に形成されている。空気溜め部３ｂは例えば可撓性と復元性のよいゴムで形成され、管部３ａは前述したと同様に高密度ポリエチレンなどの軟質の合成樹脂で形成されている。空気溜め部３ｂは管部３ａの端部に嵌着され、管部３ａの端部に設けられた鍔３ｄで抜け止めされている。このようにスポイト３の空気溜め部３ｂと管部３ａ側とを別体に形成すると、各側を最適な材質のもので形成することができる。
【００３５】
図１０に示すスポイト付き蓋体２では、蓋部６とスポイト３とが別体に形成され、両者はスポイト３の管部３ａの外周に蓋部６がネジ結合部８で取り付けられている。この場合も、蓋部６とスポイト３とは、各側を最適な材質のもので形成することができる。また、蓋部６の色を適宜変えることができる。
【００３６】
図１１は、スポイト３の変形例を示したものである。このスポイト３では、通気形含浸体取り付け部３ｃが管部３ａと同様に同じ外径で管状に形成され、この通気形含浸体取り付け部３ｃではその先端が管部３ａと同じ内径で開口され、この通気形含浸体取り付け部３ｃには多数の孔７が小さな丸孔により形成されている。
【００３７】
上記各例では、拭き取り用含浸体４を発泡ポリウレタンや発泡ポリエチレンなどのスポンジ状の発泡合成樹脂で構成した場合について示したが、この拭き取り用含浸体４は天然の海綿や、天然或いは化学繊維で構成することもできる。このような天然の拭き取り用含浸体４も、スポイト３の通気形含浸体取り付け部３ｃに水不溶性の合成接着剤で固定することができる。
【００３８】
【発明の効果】
本発明に係る環境微生物検査用拭き取り器具では、容器本体を密封する蓋体がスポイト付き蓋体となっていて、該スポイト付き蓋体のスポイトの容器本体内に挿入される管部の先端には拭き取り用含浸体が設けられているので、使用時に容器本体内の稀釈液に浸漬されていて拭き取り用含浸体に過剰に稀釈液が含浸されていても、スポイトの空気溜め部を圧縮して内部の空気をスポイトの管部を経て吹き出させることにより、拭き取り用含浸体内の過剰な稀釈液を吐き出させることができ、簡単に適度な稀釈液を拭き取り用含浸体に保持させることができる。このため拭き取りによる物体表面からの付着菌の採取を正しく行うことができる。
【００３９】
また、拭き取り用含浸体に付着した微生物の回収工程においても、蓋体のスポイトを容器本体内に挿入し、スポイトの空気溜め部を押圧することによって拭き取り用含浸体全体に圧縮空気が発生し、拭き取り用含浸体に付着した微生物を効率良く回収でき、環境微生物による汚染度合いを厳格に把握することができる。
【図面の簡単な説明】
【図１】本発明に係る環境微生物検査用拭き取り器具における実施の形態の第１例を示した斜視図である。
【図２】第１例の環境微生物検査用拭き取り器具における容器本体とスポイト付き蓋体の分解状態の斜視図である。
【図３】図２に示すスポイト付き蓋体の縦断面図である。
【図４】図２に示すスポイト付き蓋体の変形例を示す斜視図である。
【図５】図４の縦断面図である。
【図６】本発明に係る環境微生物検査用拭き取り器具における実施の形態の第２例を示した斜視図である。
【図７】図６に示す環境微生物検査用拭き取り器具の縦断面図である。
【図８】図６に示す環境微生物検査用拭き取り器具のポイト付き蓋体の縦断面図である。
【図９】図７に示すポイト付き蓋体の変形例を示す縦断面図である。
【図１０】図７に示すポイト付き蓋体の変形例を示す縦断面図である。
【図１１】スポイトの変形例を示す要部縦断面図である。
【符号の説明】
１  容器本体
１ａ  入口
１ｂ  雌ネジ部
１ｃ  小径部
１ｄ  雄ネジ部
２  スポイト付き蓋体
３  スポイト
３ａ  管部
３ｂ  空気溜め部
３ｃ  通気形含浸体取り付け部
３ｄ  鍔
４  拭き取り用含浸体
５  稀釈液
６  蓋部
６ａ  嵌合部
６ｂ  蓋本体部
６ｃ  雄ネジ部
６ｄ  滑り止め溝
６ｅ  雌ネジ部
７  孔
８  ネジ結合部